【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
少なくとも第1のコンポーネントキャリアおよび第2のコンポーネントキャリアにおけるリソースが第1のキャリアアグリゲーションリソースグループに割り振られていることを示すシグナリングを基地局から受信するステップと、
前記第1のコンポーネントキャリアを介して制御情報の第1の部分を受信するステップと、
前記第2のコンポーネントキャリアを介して前記制御情報の第2の部分を受信するステップであって、前記制御情報の前記第1の部分と前記制御情報の前記第2の部分の組合せが、ダウンリンクグラントとアップリンクグラントに関する情報とを含む、ステップと、
前記制御情報の前記第1の部分と前記制御情報の前記第2の部分の前記組合せに少なくとも部分的に基づいてリソースグラントを判定するステップであって、前記リソースグラントが、前記第1のキャリアアグリゲーションリソースグループに割り振られた第1の1つまたは複数のコンポーネントキャリアからのおよび前記第1の1つまたは複数のコンポーネントキャリアとは異なる第2のキャリアアグリゲーションリソースグループに割り振られた第2の1つまたは複数のコンポーネントキャリアからの共有チャネル送信用のリソースの割振りを含む、ステップとを含む方法。
【請求項２】
前記第1のキャリアアグリゲーションリソースグループにおける制御領域を特定するステップと、
前記特定された制御領域をブラインド復号するステップであって、前記制御情報の前記第1の部分および前記制御情報の前記第2の部分を受信するステップは、前記制御情報の前記第1の部分および前記制御情報の前記第2の部分を首尾よくブラインド復号することに少なくとも部分的に基づく、ステップとをさらに含む、請求項1に記載の方法。
【請求項３】
前記リソースグラントを判定するステップは、前記第1のキャリアアグリゲーションリソースグループに割り振られた少なくとも前記第1のコンポーネントキャリアおよび前記第2のコンポーネントキャリアの共有チャネルリソース割振りを特定するステップを含む、請求項1に記載の方法。
【請求項４】
前記基地局からの前記シグナリングは、前記第1のキャリアアグリゲーションリソースグループおよび前記第2のキャリアアグリゲーションリソースグループにおいて前記制御情報の有無を監視すべきであることを示し、前記リソースグラントは、共有チャネルリソースが、前記第1のキャリアアグリゲーションリソースグループ、前記第2のキャリアアグリゲーションリソースグループ、および第3のキャリアアグリゲーションリソースグループにおいて割り振られていることを示す、請求項1に記載の方法。
【請求項５】
前記リソースグラントは、少なくとも前記第1のキャリアアグリゲーションリソースグループおよび前記第2のキャリアアグリゲーションリソースグループにおける共有チャネル送信をアグリゲートすべきであることを示す1つまたは複数のアグリゲーションビットを含み、
前記第2のキャリアアグリゲーションリソースグループは、前記第1のキャリアアグリゲーションリソースグループと共通の少なくとも1つのコンポーネントキャリアと、前記第1のキャリアアグリゲーションリソースグループに割り振られていない少なくとも1つのコンポーネントキャリアとを含む、請求項1に記載の方法。
【請求項６】
前記基地局からの前記シグナリングは、無線リソース(RRC)シグナリングである、請求項1に記載の方法。
【請求項７】
前記第1のキャリアアグリゲーションリソースグループは、前記第1のコンポーネントキャリアからのリソースの第1のブロックを含み、
前記制御情報の前記第1の部分は、リソースの前記第1のブロックにおけるリソースの第1のサブセットと、前記第2のコンポーネントキャリアからのリソースの第2のブロックとを含み、
前記制御情報の前記第2の部分は、リソースの前記第2のブロックにおけるリソースの第2のサブセットを含む、請求項1に記載の方法。
【請求項８】
共有チャネル送信用のリソースの前記割振りは、前記第1のコンポーネントキャリアからのリソースを含み、
前記制御情報の前記第1の部分は、共有チャネル送信リソース用のリソースの前記割振り内に局所的または分散的に配置されたリソースのサブセットを含む、請求項1に記載の方法。
【請求項９】
前記制御情報の前記第1の部分または前記制御情報の前記第2の部分のうちの1つまたは複数は、ダウンリンク制御情報部分を含み、
前記ダウンリンク制御情報部分における1つまたは複数のレートマッチングビットが、制御チャネル送信用として割り振られたリソースのすべてまたは一部を共有チャネル送信用に再使用すべきであることを示す、請求項1に記載の方法。
【請求項１０】
前記制御情報の前記第1の部分および前記制御情報の前記第2の部分は、前記第1のコンポーネントキャリアおよび前記第2のコンポーネントキャリアの制御領域のサイズに応じてアグリゲートされる、請求項9に記載の方法。
【請求項１１】
無線リソース制御(RRC)シグナリングを受信するステップであって、前記RRCシグナリングが、前記第2のコンポーネントキャリアが非アクティブ化されていることを示す、ステップと、
前記第1のキャリアアグリゲーションリソースグループに含まれる前記第2のコンポーネントキャリアにおけるリソースを無視するステップとをさらに含む、請求項1に記載の方法。
【請求項１２】
無線リソース制御(RRC)シグナリングを受信するステップであって、前記RRCシグナリングが、第3のコンポーネントキャリアがアクティブ化され、前記第3のコンポーネントキャリアにおけるリソースが前記第1のキャリアアグリゲーションリソースグループに含まれることを示す、ステップと、
前記第1のキャリアアグリゲーションリソースグループに含まれると示される前記第3のコンポーネントキャリアにおけるリソースを特定するステップと、
前記第3のコンポーネントキャリアを介して、前記特定されたリソースの第3のサブセットを介して前記制御情報の第3の部分を受信するステップとをさらに含む、請求項1に記載の方法。
【請求項１３】
ワイヤレス通信のための方法であって、
第1のキャリアアグリゲーションリソースグループ用の少なくとも第1のコンポーネントキャリアおよび第2のコンポーネントキャリアにおいてリソースを割り振るステップと、
前記第1のキャリアアグリゲーションリソースグループならびに前記第1のキャリアアグリゲーションリソースグループに割り振られた少なくとも前記第1のコンポーネントキャリアおよび前記第2のコンポーネントキャリアにおけるリソースを示すシグナリングをユーザ機器(UE)に送信するステップと、
前記UEが前記第1のコンポーネントキャリア上の前記割り振られたリソースの第1のサブセットにおいて制御情報の第1の部分の有無を監視し、前記第2のコンポーネントキャリア上の前記割り振られたリソースの第2のサブセットにおいて前記制御情報の第2の部分の有無を監視するための構成情報を提供するステップであって、前記制御情報の前記第1の部分と前記制御情報の前記第2の部分の組合せが、ダウンリンクグラントとアップリンクグラントに関する情報とを含む、ステップと、
前記第1のキャリアアグリゲーションリソースグループおよび前記第1のキャリアアグリゲーションリソースグループとは異なる第2のキャリアアグリゲーションリソースグループ内の共有チャネルリソースを共有チャネル送信用として前記UEに割り振るステップと、
前記割り振られた共有チャネルリソースの指示を前記制御情報の前記第1の部分および前記制御情報の前記第2の部分において前記UEに送信するステップとを含む方法。
【請求項１４】
前記シグナリングは、前記UEにおけるブラインド復号用の前記第1のコンポーネントキャリアおよび前記第2のコンポーネントキャリアの各々における制御領域を特定する、請求項13に記載の方法。
【請求項１５】
前記割り振られた共有チャネルリソースは、2つ以上のキャリアアグリゲーションリソースグループにおける共有チャネルリソース割振りを含む、請求項13に記載の方法。
【請求項１６】
前記シグナリングは、前記第1のキャリアアグリゲーションリソースグループおよび前記第2のキャリアアグリゲーションリソースグループにおいて制御情報の有無を監視すべきであり、前記割り振られた共有チャネルリソースが、前記第1のキャリアアグリゲーションリソースグループ、前記第2のキャリアアグリゲーションリソースグループ、および第3のキャリアアグリゲーションリソースグループにおいて割り振られていることを示す、請求項13に記載の方法。
【請求項１７】
前記シグナリングは、2つ以上のキャリアアグリゲーションリソースグループにおける共有チャネル送信をアグリゲートすべきであることを示す1つまたは複数のアグリゲーションビットを含む、請求項13に記載の方法。
【請求項１８】
前記第1のコンポーネントキャリアに関連するチャネル条件またはエラーレートを判定するステップであって、前記UEが前記第1のコンポーネントキャリア上の前記割り振られたリソースの前記第1のサブセットにおいて前記制御情報の前記第1の部分の有無を監視し、前記第2のコンポーネントキャリア上の前記割り振られたリソースの前記第2のサブセットにおいて前記制御情報の前記第2の部分の有無を監視するための構成情報を提供するステップは、前記チャネル条件またはエラーレートを判定するステップに少なくとも部分的に基づく、ステップをさらに含む、請求項13に記載の方法。
【請求項１９】
前記第1のキャリアアグリゲーションリソースグループは、前記第1のコンポーネントキャリアからのリソースの第1のブロックを含み、
前記制御情報の前記第1の部分は、リソースの前記第1のブロックにおけるリソースの第1のサブセットと、前記第2のコンポーネントキャリアからのリソースの第2のブロックとを含み、
前記制御情報の前記第2の部分は、リソースの前記第2のブロックにおけるリソースの第2のサブセットを含む、請求項13に記載の方法。
【請求項２０】
共有チャネル送信用の前記割り振られたリソースは、前記第1のコンポーネントキャリアからのリソースを含み、
前記制御情報の前記第1の部分は、共有チャネル送信リソース用の前記割り振られたリソース内に局所的または分散的に配置されたリソースのサブセットを含む、請求項13に記載の方法。
【請求項２１】
前記制御情報の前記第1の部分または前記制御情報の前記第2の部分のうちの1つまたは複数は、ダウンリンク制御情報部分を含み、
前記ダウンリンク制御情報部分における1つまたは複数のレートマッチングビットが、制御チャネル送信用として割り振られたリソースのすべてまたは一部を共有チャネル送信用に再使用すべきであることを示す、請求項13に記載の方法。
【請求項２２】
前記制御情報の前記第1の部分および前記制御情報の前記第2の部分は、前記第1のコンポーネントキャリアおよび前記第2のコンポーネントキャリアの制御領域のサイズに応じてアグリゲートされる、請求項21に記載の方法。
【請求項２３】
無線リソース制御(RRC)シグナリングを送信するステップであって、前記RRCシグナリングが、前記第2のコンポーネントキャリアが非アクティブ化されていることを示す、ステップと、
前記第1のキャリアアグリゲーションリソースグループに含まれる前記第2のコンポーネントキャリアにおけるリソースを使用した送信を中止するステップとをさらに含む、請求項13に記載の方法。
【請求項２４】
無線リソース制御(RRC)シグナリングを送信するステップであって、前記RRCシグナリングが、第3のコンポーネントキャリアがアクティブ化され、前記第3のコンポーネントキャリアにおけるリソースが前記第1のキャリアアグリゲーションリソースグループに含まれるべきであることを示す、ステップと、
前記第1のキャリアアグリゲーションリソースグループに含まれるべきである前記第3のコンポーネントキャリアにおけるリソースを特定するステップと、
前記第3のコンポーネントキャリアを介して、前記特定されたリソースの第3のサブセットを介して前記制御情報の第3の部分を送信するステップとをさらに含む、請求項13に記載の方法。
【請求項２５】
ワイヤレス通信のための装置であって
少なくとも第1のコンポーネントキャリアおよび第2のコンポーネントキャリアにおけるリソースが第1のキャリアアグリゲーションリソースグループに割り振られていることを示すシグナリングを基地局から受信するための手段と、
前記第1のコンポーネントキャリアを介して制御情報の第1の部分を受信するための手段と、
前記第2のコンポーネントキャリアを介して前記制御情報の第2の部分を受信するための手段であって、前記制御情報の前記第1の部分と前記制御情報の前記第2の部分の組合せが、ダウンリンクグラントとアップリンクグラントに関する情報とを含む、手段と、
前記制御情報の前記第1の部分と前記制御情報の前記第2の部分の前記組合せに少なくとも部分的に基づいてリソースグラントを判定するための手段であって、前記リソースグラントが、前記第1のキャリアアグリゲーションリソースグループに割り振られた第1の1つまたは複数のコンポーネントキャリアからのおよび前記第1の1つまたは複数のコンポーネントキャリアとは異なる第2のキャリアアグリゲーションリソースグループに割り振られた第2の1つまたは複数のコンポーネントキャリアからの共有チャネル送信用のリソースの割振りを含む、手段とを備える装置。
【請求項２６】
ワイヤレス通信のための装置であって
第1のキャリアアグリゲーションリソースグループ用の少なくとも第1のコンポーネントキャリアおよび第2のコンポーネントキャリアにおいてリソースを割り振るための手段と、
前記第1のキャリアアグリゲーションリソースグループならびに前記第1のキャリアアグリゲーションリソースグループに割り振られた少なくとも前記第1のコンポーネントキャリアおよび前記第2のコンポーネントキャリアにおけるリソースを示すシグナリングをユーザ機器(UE)に送信するための手段と、
前記UEが前記第1のコンポーネントキャリア上の前記割り振られたリソースの第1のサブセットにおいて制御情報の第1の部分の有無を監視し、前記第2のコンポーネントキャリア上の前記割り振られたリソースの第2のサブセットにおいて前記制御情報の第2の部分の有無を監視するための構成情報を提供するための手段であって、前記制御情報の前記第1の部分と前記制御情報の前記第2の部分の組合せが、ダウンリンクグラントとアップリンクグラントに関する情報とを含む、手段と、
前記第1のキャリアアグリゲーションリソースグループおよび前記第1のキャリアアグリゲーションリソースグループとは異なる第2のキャリアアグリゲーションリソースグループ内の共有チャネルリソースを共有チャネル送信用として前記UEに割り振るための手段と、
前記割り振られた共有チャネルリソースの指示を前記制御情報の前記第1の部分および前記制御情報の前記第2の部分において前記UEに送信するための手段とを備える装置。
【請求項２７】
ワイヤレス通信のための装置であって
プロセッサと、
前記プロセッサに結合されたメモリとを備え、
前記メモリ内に記憶された命令とを備え、前記命令が、前記プロセッサによって実行されると、前記装置に、
少なくとも第1のコンポーネントキャリアおよび第2のコンポーネントキャリアにおけるリソースが第1のキャリアアグリゲーションリソースグループに割り振られていることを示すシグナリングを基地局から受信することと、
前記第1のコンポーネントキャリアを介して制御情報の第1の部分を受信することと、
前記第2のコンポーネントキャリアを介して前記制御情報の第2の部分を受信することであって、前記制御情報の前記第1の部分と前記制御情報の前記第2の部分の組合せが、ダウンリンクグラントとアップリンクグラントに関する情報とを含む、ことと、
前記制御情報の前記第1の部分と前記制御情報の前記第2の部分の前記組合せに少なくとも部分的に基づいてリソースグラントを判定することであって、前記リソースグラントが、前記第1のキャリアアグリゲーションリソースグループに割り振られた第1の1つまたは複数のコンポーネントキャリアからのおよび前記第1の1つまたは複数のコンポーネントキャリアとは異なる第2のキャリアアグリゲーションリソースグループに割り振られた第2の1つまたは複数のコンポーネントキャリアからの共有チャネル送信用のリソースの割振りを含む、こととを行わせるように動作可能である装置。
【請求項２８】
ワイヤレス通信のための装置であって
プロセッサと、
前記プロセッサに結合されたメモリとを備え、
前記メモリ内に記憶された命令とを備え、前記命令が、前記プロセッサによって実行されると、前記装置に、
第1のキャリアアグリゲーションリソースグループ用の少なくとも第1のコンポーネントキャリアおよび第2のコンポーネントキャリアにおいてリソースを割り振ることと、
前記第1のキャリアアグリゲーションリソースグループならびに前記第1のキャリアアグリゲーションリソースグループに割り振られた少なくとも前記第1のコンポーネントキャリアおよび前記第2のコンポーネントキャリアにおけるリソースを示すシグナリングをユーザ機器(UE)に送信することと、
前記UEが前記第1のコンポーネントキャリア上の前記割り振られたリソースの第1のサブセットにおいて制御情報の第1の部分の有無を監視し、前記第2のコンポーネントキャリア上の前記割り振られたリソースの第2のサブセットにおいて前記制御情報の第2の部分の有無を監視するための構成情報を提供することであって、前記制御情報の前記第1の部分と前記制御情報の前記第2の部分の組合せが、ダウンリンクグラントとアップリンクグラントに関する情報とを含む、ことと、
前記第1のキャリアアグリゲーションリソースグループおよび前記第1のキャリアアグリゲーションリソースグループとは異なる第2のキャリアアグリゲーションリソースグループ内の共有チャネルリソースを共有チャネル送信用として前記UEに割り振ることと、
前記割り振られた共有チャネルリソースの指示を前記制御情報の前記第1の部分および前記制御情報の前記第2の部分において前記UEに送信することとを行わせるように動作可能である装置。
【請求項２９】
ワイヤレス通信のためのコードを記憶するコンピュータ可読記憶媒体であって、前記コードが、プロセッサによって、
少なくとも第1のコンポーネントキャリアおよび第2のコンポーネントキャリアにおけるリソースが第1のキャリアアグリゲーションリソースグループに割り振られていることを示すシグナリングを基地局から受信することと、
前記第1のコンポーネントキャリアを介して制御情報の第1の部分を受信することと、
前記第2のコンポーネントキャリアを介して前記制御情報の第2の部分を受信することであって、前記制御情報の前記第1の部分と前記制御情報の前記第2の部分の組合せが、ダウンリンクグラントとアップリンクグラントに関する情報とを含む、ことと、
前記制御情報の前記第1の部分と前記制御情報の前記第2の部分の前記組合せに少なくとも部分的に基づいてリソースグラントを判定することであって、前記リソースグラントが、前記第1のキャリアアグリゲーションリソースグループに割り振られた第1の1つまたは複数のコンポーネントキャリアからのおよび前記第1の1つまたは複数のコンポーネントキャリアとは異なる第2のキャリアアグリゲーションリソースグループに割り振られた第2の1つまたは複数のコンポーネントキャリアからの共有チャネル送信用のリソースの割振りを含む、こととを行うように実行可能な命令を含む装置。
【請求項３０】
ワイヤレス通信のためのコードを記憶するコンピュータ可読記憶媒体であって、前記コードが、プロセッサによって、
第1のキャリアアグリゲーションリソースグループ用の少なくとも第1のコンポーネントキャリアおよび第2のコンポーネントキャリアにおいてリソースを割り振ることと、
前記第1のキャリアアグリゲーションリソースグループならびに前記第1のキャリアアグリゲーションリソースグループに割り振られた少なくとも前記第1のコンポーネントキャリアおよび前記第2のコンポーネントキャリアにおけるリソースを示すシグナリングをユーザ機器(UE)に送信することと、
前記UEが前記第1のコンポーネントキャリア上の前記割り振られたリソースの第1のサブセットにおいて制御情報の第1の部分の有無を監視し、前記第2のコンポーネントキャリア上の前記割り振られたリソースの第2のサブセットにおいて前記制御情報の第2の部分の有無を監視するための構成情報を提供することであって、前記制御情報の前記第1の部分と前記制御情報の前記第2の部分の組合せが、ダウンリンクグラントとアップリンクグラントに関する情報とを含む、ことと、
前記第1のキャリアアグリゲーションリソースグループおよび前記第1のキャリアアグリゲーションリソースグループとは異なる第2のキャリアアグリゲーションリソースグループ内の共有チャネルリソースを共有チャネル送信用として前記UEに割り振ることと、
前記割り振られた共有チャネルリソースの指示を前記制御情報の前記第1の部分および前記制御情報の前記第2の部分において前記UEに送信することとを行うように実行可能な命令を含む装置。